(57)【特許請求の範囲】
【請求項１】
遊技状態に応じて可動部材を直線駆動して遊技の演出を行う可動演出役物を備えた遊技機において、
前記可動部材を直動可能に支持しかつその直動方向と交差する方向への移動を規制する直動ガイド手段と、
前記可動部材の直動方向と直交した回転軸回りに回転可能な回転部材と、
前記回転部材を回転可能に支持するベース部材と、
前記回転部材を回転駆動する駆動手段と、
前記回転部材のうち前記回転軸から離れた位置で前記可動部材の一部に連結して前記回転部材の回転を前記可動部材の直動に変換するための連結部材とを備え、
前記回転部材の可動範囲中に、前記連結部材と前記可動部材との接点と、前記回転部材の前記回転軸とを結ぶ軸間接続線が前記可動部材の直動方向と平行になる特異位置が設けられ、前記特異位置に配置された前記連結部材で、前記駆動手段の停止時に、前記可動部材の直動を規制可能とし、
前記連結部材は、前記回転部材から突出して前記回転部材の前記回転軸と平行に延び、
前記ベース部材には、前記回転部材の少なくとも一部を覆いかつ前記連結部材が貫通した部材貫通孔を有するカバー壁が備えられ、前記部材貫通孔は、前記連結部材の移動と同じ長孔形状をなし、前記部材貫通孔のうち長手方向の少なくとも一端側を、前記連結部材を前記特異位置に位置決めするロック位置決ストッパとしたことを特徴とする遊技機。
【請求項２】
遊技状態に応じて可動部材を直線駆動して遊技の演出を行う可動演出役物を備えた遊技機において、
前記可動部材を直動可能に支持しかつその直動方向と交差する方向への移動を規制する直動ガイド手段と、
前記可動部材の直動方向と直交した回転軸回りに回転可能な回転部材と、
前記回転部材を回転可能に支持するベース部材と、
前記回転部材を回転駆動する駆動手段と、
前記回転部材のうち前記回転軸から離れた位置で前記可動部材の一部に連結して前記回転部材の回転を前記可動部材の直動に変換するための連結部材とを備え、
前記回転部材の可動範囲中に、前記連結部材と前記可動部材との接点と、前記回転部材の前記回転軸とを結ぶ軸間接続線が前記可動部材の直動方向と平行になる特異位置が設けられ、前記連結部材を前記特異位置に配置することで、前記駆動手段の停止時に、前記可動部材の直動を規制するロック手段とし、
前記連結部材は、前記回転部材から突出して前記回転部材の前記回転軸と平行に延び、
前記ベース部材には、前記回転部材の少なくとも一部を覆いかつ前記連結部材が貫通した部材貫通孔を有するカバー壁が備えられ、前記部材貫通孔は、前記連結部材の移動と同じ長孔形状をなし、前記部材貫通孔のうち長手方向の少なくとも一端側を、前記連結部材を前記特異位置に位置決めするロック位置決ストッパとしたことを特徴とする遊技機。
【請求項３】
前記回転部材の可動範囲中に、前記回転部材の前記回転軸を挟んで対称な２つの前記特異位置を備えたことを特徴とする請求項１又は２に記載の遊技機。
【請求項４】
前記可動部材の直動方向と直交する方向に並べられかつ対称回転可能な１対の前記回転部材を備え、それら回転部材の前記連結部材が貫通した１対の前記部材貫通孔のうち長手方向の一端側の開口縁同士の距離が前記１対の回転部材の前記回転軸同士の距離より短くなるように構成され、前記１対の回転部材が有する１対の前記連結部材を前記可動部材の一部に連結させて、前記回転部材の回転を前記可動部材の直動に変換可能としたことを特徴とする請求項１乃至３の何れか１の請求項に記載の遊技機。
【請求項５】
前記可動部材には、前記可動部材の直動方向と前記回転部材の前記回転軸と共に直交する方向に延びかつ前記連結部材が直動可能に係合した長孔が形成されたことを特徴とする請求項１乃至４の何れか１の請求項に記載の遊技機。
【発明の詳細な説明】
【技術分野】
【０００１】
本発明は、遊技状態に応じて可動部材を移動させて遊技の演出を行う遊技機に関する。
【背景技術】
【０００２】
従来、この種の遊技機として、モータの回転動力を伝達する回転出力ギヤに可動部材を移動可能に連結して、可動部材を支持した構成のものが知られている（例えば、特許文献１参照）。
【先行技術文献】
【特許文献】
【０００３】
【特許文献１】特開２０１１−２０６３４６号公報（図１２，図１３）
【発明の概要】
【発明が解決しようとする課題】
【０００４】
しかしながら、上記した従来の遊技機では、例えば、新台入替の搬送時に振動や衝撃によって可動部材が移動して、他の部品に強く打ち付けられて、変形、破損することが懸念された。
【０００５】
本発明は、上記事情に鑑みてなされたもので、搬送時の振動や衝撃による可動部材の移動を規制することが可能な遊技機の提供を目的とする。
【課題を解決するための手段】
【０００６】
上記目的を達成するため、請求項１の発明に係る遊技機は、遊技状態に応じて可動部材を直線駆動して遊技の演出を行う可動演出役物を備えた遊技機において、可動部材を直動可能に支持しかつその直動方向と交差する方向への移動を規制する直動ガイド手段と、可動部材の直動方向と直交した回転軸回りに回転可能な回転部材と、回転部材を回転可能に支持するベース部材と、回転部材を回転駆動する駆動手段と、回転部材のうち回転軸から離れた位置で可動部材の一部に連結して回転部材の回転を可動部材の直動に変換するための連結部材とを備え、回転部材の可動範囲中に、連結部材と可動部材との接点と、回転部材の回転軸とを結ぶ軸間接続線が可動部材の直動方向と平行になる特異位置が設けられ、特異位置に配置された連結部材で、駆動手段の停止時に、可動部材の直動を規制可能とし、連結部材は、回転部材から突出して回転部材の回転軸と平行に延び、ベース部材には、回転部材の少なくとも一部を覆いかつ連結部材が貫通した部材貫通孔を有するカバー壁が備えられ、部材貫通孔は、連結部材の移動と同じ長孔形状をなし、部材貫通孔のうち長手方向の少なくとも一端側を、連結部材を特異位置に位置決めするロック位置決ストッパとしたことを特徴とする遊技機。
【０００７】
請求項２の発明に係る遊技機は、遊技状態に応じて可動部材を直線駆動して遊技の演出を行う可動演出役物を備えた遊技機において、可動部材を直動可能に支持しかつその直動方向と交差する方向への移動を規制する直動ガイド手段と、可動部材の直動方向と直交した回転軸回りに回転可能な回転部材と、回転部材を回転可能に支持するベース部材と、回転部材を回転駆動する駆動手段と、回転部材のうち回転軸から離れた位置で可動部材の一部に連結して回転部材の回転を可動部材の直動に変換するための連結部材とを備え、回転部材の可動範囲中に、連結部材と可動部材との接点と、回転部材の回転軸とを結ぶ軸間接続線が可動部材の直動方向と平行になる特異位置が設けられ、連結部材を特異位置に配置することで、駆動手段の停止時に、可動部材の直動を規制するロック手段とし、連結部材は、回転部材から突出して回転部材の回転軸と平行に延び、ベース部材には、回転部材の少なくとも一部を覆いかつ連結部材が貫通した部材貫通孔を有するカバー壁が備えられ、部材貫通孔は、連結部材の移動と同じ長孔形状をなし、部材貫通孔のうち長手方向の少なくとも一端側を、連結部材を特異位置に位置決めするロック位置決ストッパとしたことを特徴とする遊技機。
【０００８】
請求項３の発明は、請求項１又は２に記載の遊技機において、回転部材の可動範囲中に、回転部材の回転軸を挟んで対称な２つの特異位置を備えたところに特徴を有する。
【００１１】
請求項４の発明は、請求項１乃至３の何れか１の請求項に記載の遊技機において、可動部材の直動方向と直交する方向に並べられかつ対称回転可能な１対の回転部材を備え、それら回転部材の連結部材が貫通した１対の部材貫通孔のうち長手方向の一端側の開口縁同士の距離が１対の回転部材の回転軸同士の距離より短くなるように構成され、１対の回転部材が有する１対の連結部材を可動部材の一部に連結させて、回転部材の回転を可動部材の直動に変換可能としたところに特徴を有する。
【００１２】
請求項５の発明は、請求項１乃至４の何れか１の請求項に記載の遊技機において、可動部材には、可動部材の直動方向と回転部材の回転軸と共に直交する方向に延びかつ連結部材が直動可能に係合した長孔が形成されたところに特徴を有する。
【発明の効果】
【００１３】
［請求項１，２及び３の発明］
請求項１及び２の遊技機では、駆動手段にて回転部材を回転駆動すると、回転部材に備えた連結部材が可動部材の一部に当接して可動部材が直動する。即ち、駆動手段から回転部材に付与された回転動力が、連結部材と可動部材との間で可動部材の直動動力に変換されて、可動部材が直動する。本発明の遊技機は、このような動力変換機構を有しているので、搬送時に、連結部材と可動部材との接点と、回転部材の回転軸とを結ぶ軸間接続線が可動部材の直動方向に対して非平行となる位置に回転部材が配置されていると、可動部材の直動方向を向いた重力や慣性力等の外力が、連結部材と可動部材との間で回転部材の回転方向に向いた外力に変換されて、可動部材と回転部材が連動して動いてしまう。これに対し、本発明の遊技機は、連結部材と可動部材との接点と、回転部材の回転軸とを結ぶ軸間接続線を可動部材の直動方向に対して平行となる特異位置に連結部材を配置することができ、搬送時に連結部材を特異位置に配置すれば、可動部材の直動方向を向いた重力や慣性力等の外力を、連結部材と可動部材との間で遮断して、可動部材を連結部材によって直動不能にロック（移動を規制）することができ、搬送時における可動部材の変形や破損を防ぐことが可能となる。しかも可動部材のロックのためには、連結部材を特異位置に配置するだけでよいので、ロック及びロックの解除に手間がかからない。
【００１４】
ここで、本願発明では、可動部材の可動範囲中に、少なくとも１つの特異位置を備えた構成であればよく、請求項３のように、回転部材の回転軸を挟んで対称な２つの特異位置を備えた構成であってもよい。
【００１６】
また、回転部材を覆うカバー壁に連結部材の軌跡と同じ長孔形状をなした部材貫通孔が形成され、その部材貫通孔に回転部材の回転軸と平行な方向に延びる連結部材が貫通している。そして、部材貫通孔の長手方向の少なくとも一端側の開口縁がロック位置決ストッパになっているので、連結部材を一端側の開口縁に当接するまで回転させるだけで、連結部材を容易に特異位置に位置決めすることが可能となる。
【００１７】
［請求項４の発明］
請求項４の遊技機では、可動部材に対して１対の回転部材を備え、それら回転部材の各連結部材に可動部材を連結することにより、可動部材を安定して直動させることが可能となる。また、１対の部材貫通孔のうち長手方向の一端側の開口縁同士の距離を、回転部材の回転軸同士の距離より短く設定したことにより、連結部材の大きさを大きくすることができ、連結部材の強度を高めることが可能となる。
【００１８】
［請求項５の発明］
請求項５の遊技機では、可動部材に可動部材の直動方向と回転部材の回転軸と共に直交する方向に延びる長孔が形成され、その長孔に連結部材を直動可能に係合して、長孔の開口縁を連結部材によって押圧することにより、可動部材をベース部材に対して直動移動させることが可能となる。
【図面の簡単な説明】
【００１９】
【図１】本発明の一実施形態に係る遊技機の正面図
【図２】遊技盤の正面図
【図３】（Ａ）可動部材が上端位置に配置された状態の可動演出役物の正面図，（Ｂ）可動部材が下端位置に配置された状態の可動演出役物の正面図
【図４】（Ａ）可動部材が上端位置に配置された状態の可動演出役物の正面図，（Ｂ）可動部材が下端位置に配置された状態の可動演出役物の正面図
【図５】（Ａ）可動部材が上端位置に配置された状態のベース部材の正面図，（Ｂ）可動部材が下端位置に配置された状態のベース部材の正面図
【図６】中央長孔に直動ガイド突部を嵌合した状態の断面図
【図７】可動演出役物を前面側から見た状態の分解斜視図
【図８】可動演出役物を後面側から見た状態の分解斜視図
【図９】（Ａ）可動部材が上端位置に配置された状態のギヤ群の正面図，（Ｂ）可動部材が下端位置に配置された状態のギヤ群の正面図
【発明を実施するための形態】
【００２０】
［第１実施形態］
以下、本発明を適用したパチンコ遊技機１０に係る一実施形態を、図１〜図９に基づいて説明する。図１に示すように、パチンコ遊技機１０は、前面が前面枠１０Ｚにて覆われており、その前面枠１０Ｚに形成されたガラス窓１０Ｗを通して遊技盤１１の遊技領域Ｒ１が視認可能になっている。
【００２１】
ガラス窓１０Ｗの周囲には装飾ランプ３５が設けられ、前面枠１０Ｚのうちガラス窓１０Ｗより上側の両角位置には、それぞれスピーカ２５，２５が設けられている。また、前面枠１０Ｚのうちガラス窓１０Ｗより下方には、上皿２６及び下皿２７が上下２段にして設けられ、下皿２７の右側には操作ノブ２８が設けられている。そして、操作ノブ２８を回動操作すると、上皿２６に収容された遊技球が遊技領域Ｒ１に向けて弾き出される。なお、上皿２６に備えたボタン（図示せず）を押すと上皿２６に収容されている遊技球が下皿２７へと移動する。
【００２２】
図２に示すように、遊技盤１１のうち遊技領域Ｒ１の中央には、遊技盤表示窓１０Ｈが貫通形成されている。遊技盤表示窓１０Ｈの開口縁には、表示装飾枠２３が取り付けられている。表示装飾枠２３は、遊技盤１１の前面側から遊技盤表示窓１０Ｈに嵌め込まれ、遊技盤表示窓１０Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。また、遊技盤１１の裏面側には、表示装置３０が備えられ、表示装置３０の液晶モジュール（詳細には、ＴＦＴ−ＬＣＤモジュール）における表示画面３０Ｇが、遊技盤表示窓１０Ｈを通して前方に臨んでいる。
【００２３】
遊技領域Ｒ１のうち表示装飾枠２３の下方における左右方向の中央部には、第１及び第２の始動入賞口１４Ａ，１４Ｂ、第１大入賞口１５及びアウト口１６が、上から順に間隔を開けて並べて設けられている。第１大入賞口１５の左側には、サイド入賞口２１が設けられ、始動入賞口１４Ａ，１４Ｂの左側には、ガイドレール１２に沿って一般入賞口２０，２０が設けられている。表示装飾枠２３の左側には始動ゲート１８と風車１９とが間隔を空けて設けられている。また、遊技領域Ｒ１には多数の障害釘が植設されている。
【００２４】
遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入賞すると、その遊技球は遊技盤１１の裏側に取り込まれ、代わりに所定数の賞球が上皿２６に払い出される。
【００２５】
始動ゲート１８は、遊技球が潜って通過可能な門形構造をなしている。始動ゲート１８を遊技球が通過すると当否判定が行われる。その当否判定の結果は、風車１９の下方に設けられた普通図柄表示部３８にて表示される。例えば、当否判定の結果が当たりの場合（以下、「小当たり」という）には、普通図柄表示部３８が点灯表示され、外れの場合には、消灯する。また、普通図柄表示部３８が変動表示の最中に始動ゲート１８を遊技球が通過した場合には、その通過球は最大で４個まで保留記憶される。そして、普通図柄表示部３８の変動表示が終了すると、その保留記憶に基づいて再び普通図柄表示部３８が変動表示される。なお、保留記憶数は、普通図柄表示部３８の下方にある普通図柄保留数用ＬＥＤ３７の点灯数によって遊技者に報知される。
【００２６】
第１及び第２の始動入賞口１４Ａ，１４Ｂは、共に遊技盤１１の前面から突出した部材の上面に遊技球が１つずつ入賞可能な開口を備えた、所謂、ポケット構造をなしている。
【００２７】
第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には、起立状態になっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、「小当たり」となった場合に可動翼片１４Ｃ，１４Ｃが所定期間に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００２８】
また、各始動入賞口１４Ａ，１４Ｂに遊技球が入賞すると、例えば、１個の入賞につき４個の遊技球が上皿２６に払い出されると共に当否判定が行われる。その判定結果は、表示装置３０の表示画面３０Ｇにて表示される。
【００２９】
具体的には、図１に示すように、表示画面３０Ｇには、通常、３つの左、中、右の特別図柄１３Ａ，１３Ｂ，１３Ｃが横並びに停止表示されている。これら各特別図柄１３Ａ，１３Ｂ，１３Ｃは、例えば、「０」〜「９」の数字を表記した複数種類のもので構成されており、通常は、各特別図柄１３Ａ，１３Ｂ，１３Ｃごと、所定の種類のものが停止表示されている。そして、始動入賞口１４Ａ，１４Ｂに遊技球が入賞したときに、これら３つの特別図柄１３Ａ，１３Ｂ，１３Ｃが変動表示（上下方向にスクロール表示）され、所定時間後に、例えば、左、右、中の順で各特別図柄１３Ａ，１３Ｂ，１３Ｃが停止表示される。始動入賞口１４Ａ，１４Ｂへの入賞に起因した当否判定結果が当たり（以下、「大当たり」という）の場合には、３つの特別図柄１３Ａ，１３Ｂ，１３Ｃが全て同じ図柄（ゾロ目）で停止表示され、その後、遊技が「大当たり状態」に移行する。これに対し、判定結果が外れの場合には、ゾロ目以外の組み合わせで停止表示され、通常の遊技状態が続行する。
【００３０】
また、各特別図柄１３Ａ，１３Ｂ，１３Ｃが、変動表示後、左、右、中の順で各特別図柄１３Ａ，１３Ｂ，１３Ｃを停止する際に、左、右の各特別図柄１３Ａ，１３Ｃが同じ図柄になって先に停止した状態で、中特別図柄１３Ｂが変動表示されたリーチ状態になる場合がある。リーチ状態になると、表示画面３０Ｇには所定のリーチ演出画像（例えば、キャラクタ画像）が表示される。なお、リーチ状態とは、「可変表示部の特別図柄が可変開始された後、図柄制御が進行して表示結果が停止表示される前段階において、特定の表示態様大当りの組み合わせが表示されやすい可変表示態様となったと遊技者に思わせるための表示状態」であれば、上記のように例示した、左、右の各特別図柄１３Ａ，１３Ｃが同じ図柄のものに限定されない。
【００３１】
ここで、表示画面３０Ｇにて特別図柄１３Ａ，１３Ｂ，１３Ｃが変動表示している最中又は「大当たり遊技」の最中に各始動入賞口１４Ａ，１４Ｂに入賞した遊技球の数は、所定の保留限度数（４個）まで保留記憶され、特別図柄が外れの図柄組み合わせで停止表示又は「大当たり遊技」が終了すると、その保留記憶に基づいて再び、特別図柄１３Ａ，１３Ｂ，１３Ｃの変動表示が開始される。なお、保留記憶数は、上述した普通図柄用保留数用ＬＥＤ３７の下方にある特別図柄保留数用ＬＥＤ３９の点灯数によって遊技者に報知される。特別図柄保留数用ＬＥＤ３９等と共に風車１９の下方に設けられた特別図柄表示部３６は、表示画面３０Ｇで表示される特別図柄と連動して変動表示及び停止表示される。
【００３２】
図２に示すように、第１大入賞口１５は横長矩形状をなしており、通常の遊技状態では、可動扉１５Ｔにて閉塞されている。そして、「大当たり状態」になると、可動扉１５Ｔが所定期間に亘って前側に倒される。すると、第１大入賞口１５が前方に開放し、可動扉１５Ｔを案内にして第１大入賞口１５に多くの遊技球が入賞可能となる。第１大入賞口１５に遊技球が入賞すると、例えば、１個の入賞につき１５個の遊技球が上皿２６に払い出される。
【００３３】
表示装飾枠２３は、中央に開口部を備え、前面が表示装置３０で行われる表示演出に対応したデザイン形状をなしている。表示装飾枠２３の下辺部には、遊技球が左右に転動可能な上段ステージ２４Ａと下段ステージ２４Ｂとが設けられている。また、表示装飾枠２３の左側辺には、ワープ入口１７が設けられており、ワープ入口１７に遊技球が入球すると、遊技球が図示しないワープ路を通って上段ステージ２４Ａから下段ステージ２４Ｂに流下する。上段ステージ２４Ａから下段ステージ２４Ｂに案内された遊技球のうち、下段ステージ２４Ｂの中央溝２４Ｍに誘導された遊技球は、第１始動入賞口１４Ａの真上に流下するようになっている。
【００３４】
そして、上述した各入賞口１４Ａ，１４Ｂ，１５，２０，２１の何れにも入賞しなかった遊技球は、遊技領域Ｒ１の下端に配置されたアウト口１６に全て取り込まれる。
【００３５】
さて、本願発明のパチンコ遊技機１０には、上記したリーチ状態等の演出を行うために、可動演出役物１００が備えられている。可動演出役物１００は、表示装飾枠２３の上辺部に配置されて遊技盤１１に固定されたベース部材７０と、そのベース部材７０に上下動可能に支持された可動部材５０とを備えている。なお、以下の説明において、遊技者が遊技盤１１と対向する方向を「前後方向」といい、遊技者側に向く面を「前面」、その反対側の面を「後面」ということとする。
【００３６】
ベース部材７０は、図３（Ａ）に示すように左右方向に長く、図７に示すように前後方向で偏平な形状をなしている。また、ベース部材７０は、前後方向でカバー壁７１とベース本体７２とを重ね合わせてなり、それらカバー壁７１及びベース本体７２の重ね合わせた面に形成された陥没凹部７１Ａ，７２Ａに第１及び第２の回転出力ギヤ６１，６４と、１対の中継ギヤ６２，６３と、回転入力ギヤ６５からなるギヤ群６０が収容されている。
【００３７】
これらギヤ群６０は、同じ歯幅をなして同一平面内に並べられている。第１及び第２の回転出力ギヤ６１，６４は、同一径、同一歯数をなし、可動演出役物１００を前方から見てギヤ群６０の左側端部に第１回転出力ギヤ６１が配置される一方、ギヤ群６０の右側端部に第２回転出力ギヤ６４が配置され、それら第１及び第２の回転出力ギヤ６１，６４の中心間を結ぶ線は水平になっている。また、一方の中継ギヤ６２は、第１及び第２の回転出力ギヤ６１，６４より径が大きくなっていて、第１回転出力ギヤ６１に対して第２回転出力ギヤ６４側の斜め上方に配置されて、第１回転出力ギヤ６１に噛合している。また、他方の中継ギヤ６３は、第１及び第２の回転出力ギヤ６１，６４より径が小さくなっていて、一方の中継ギヤ６２と第２回転出力ギヤ６４との中心間に位置して、それら中継ギヤ６２と第２回転出力ギヤ６４とに噛合している。さらに、回転入力ギヤ６５は、中継ギヤ６２と略同一の径をなして、中継ギヤ６３に対して上方から噛合している。
【００３８】
回転入力ギヤ６５は、カバー壁７１側の陥没凹部７１Ａに収容されている。また、ベース本体７２の後面には、図８に示したモータ８０が取り付けられ、そのベース本体７２に形成された貫通孔８０Ａを通してモータ８０のモータ出力軸が陥没凹部７１Ａ内に突入している。そして、そのモータ出力軸に回転入力ギヤ６５が一体回転可能に固定されている。これに対し、第１及び第２の回転出力ギヤ６１，６４と大小の中継ギヤ６２，６３とは、ベース本体７２側の陥没凹部７２Ａに収容されて、その陥没凹部７２Ａの奥面から突出した回転支軸７２Ｊにより回転可能に支持されている。これにより、モータ８０の動力によってギヤ群６０の全てが回転駆動され、第１及び第２の回転出力ギヤ６１，６４が対称回転する。
【００３９】
図７に示すように、第１回転出力ギヤ６１の前面には、その回転軸Ｊ１から離れた位置に、回転軸Ｊ１と平行になって前方に延びた円筒状の第１連結シャフト６１Ｒが備えられている。第２回転出力ギヤ６４の前面にも、同一形状の第２連結シャフト６４Ｒが形成されている。そして、図９（Ａ）に示すように、これら第１と第２の連結シャフト６１Ｒ，６４Ｒが左右対称に配置されて、第１及び第２の回転出力ギヤ６１，６４の対称回転に伴って対称移動する。
【００４０】
これら第１及び第２の連結シャフト６１Ｒ，６４Ｒの可動範囲は、カバー壁７１に設けた１対の第１及び第２の部材貫通孔７１Ｍ，７４Ｍにより、第１及び第２の連結シャフト６１Ｒ，６４Ｒの中心が、第１及び第２の回転出力ギヤ６１，６４の回転軸Ｊ１，Ｊ２の真上の上端位置（図９（Ａ）の状態）から互いに離れる側に対称移動して、第１及び第２の回転出力ギヤ６１，６４の回転軸Ｊ１，Ｊ２の真下の下端位置（図９（Ｂ）の状態）に至る範囲に限定されている。
【００４１】
具体的には、第１と第２の連結シャフト６１Ｒ，６４Ｒには、段付き状に外径が大きくなった大径支持部６１Ｄ，６４Ｄが備えられ、カバー壁７１には、第１と第２の連結シャフト６１Ｒ，６４Ｒの大径支持部６１Ｄ，６４Ｄが貫通した第１及び第２の部材貫通孔７１Ｍ，７４Ｍが備えられている。これら第１及び第２の部材貫通孔７１Ｍ，７４Ｍは、第１及び第２の連結シャフト６１Ｒ，６４Ｒが可動範囲の両端間を移動したときに大径支持部６１Ｄ，６４Ｄによって描かれる１対の円弧軌跡に相当する領域をカバー壁７１から切除した形状になっている。即ち、図５（Ａ）に示すように、第１及び第２の部材貫通孔７１Ｍ，７４Ｍは、大径支持部６１Ｄ，６４Ｄの直径と同じ幅で、第１及び第２の回転出力ギヤ６１，６４の中心軸Ｊ１，Ｊ２周りに円弧状に湾曲し、両端部に、大径支持部６１Ｄ，６４Ｄの外周円の半円に相当する端部円弧面７１Ｎ，７４Ｎを備えた形状になっている。
【００４２】
そして、第１及び第２の回転出力ギヤ６１，６４が一方に対称回転すると、第１と第２の連結シャフト６１Ｒ，６４Ｒの大径支持部６１Ｄ，６４Ｄの外周面が、第１及び第２の部材貫通孔７１Ｍ，７４Ｍの上端側の端部円弧面７１Ｎ，７４Ｎに当接して第１と第２の連結シャフト６１Ｒ，６４Ｒが上端位置に位置決めされる。また、第１及び第２の回転出力ギヤ６１，６４が他方に対称回転すると、第１と第２の連結シャフト６１Ｒ，６４Ｒの大径支持部６１Ｄ，６４Ｄの外周面が、第１及び第２の部材貫通孔７１Ｍ，７４Ｍの下端側の端部円弧面７１Ｎ，７４Ｎに当接して第１と第２の連結シャフト６１Ｒ，６４Ｒが下端位置に位置決めされる。なお、カバー部材７１の前面には、第１及び第２の部材貫通孔７１Ｍ，７４Ｍの開口縁から突出した摺接突条７１Ｔ，７４Ｔが備えられている。
【００４３】
カバー壁７１の前面には、直動ガイド突部７５が突出形成されている。直動ガイド突部７５は、第１及び第２の部材貫通孔７１Ｍ，７４Ｍの間の中心位置より一方の第１部材貫通孔７１Ｍ寄り位置でかつ第１及び第２の部材貫通孔７１Ｍ，７４Ｍより上側に配置されている。
【００４４】
カバー壁７１の前面の下端部のうち直動ガイド突部７５の下方位置には、ホイール挿通孔７１Ｇが形成され、カバー壁７１とベース本体７２との間に収容されたガイドホイール８１の一部がホイール挿通孔７１Ｇから前方に突出している。ガイドホイール８１は、カバー壁７１の横方向に延びた回転軸を中心に回動するように軸支されている。
【００４５】
図８に示すように、第２回転出力ギヤ６４の後面には、検知突片６４Ｔが突出形成され、この検知突片６４Ｔを移動可能に受容する円弧状のスライド溝７２Ｋが図７に示すようにベース本体７２の陥没凹部７２Ａ内に形成されている。また、ベース本体７２の後面ではスライド溝７２Ｋの裏面側が円弧状に突出した湾曲突条７２Ｗになっていて、湾曲突条７２Ｗの両端部が切除されてスライド溝７２Ｋの両端部がベース本体７２の後面側で開口している。また、スライド溝７２Ｋの一方の開口には、ベース本体７２の後面側から位置検出センサ７３が宛われ、その位置検出センサ７３に備えた図示しないスリットが、スライド溝７２Ｋの延長線上に配置されている。そして、第１と第２の連結シャフト６１Ｒ，６４Ｒが始端位置に配置されたときに、検知突片６４Ｔがスライド溝７２Ｋの一端に位置してベース本体７２のスリット内に受容され、これを位置検出センサ７３が検出することで、第１と第２の連結シャフト６１Ｒ，６４Ｒが始端位置に配置されていることが確認されるようになっている。
【００４６】
可動部材５０は、図３（Ａ）に示した装飾板５１の後面に、図７に示した支持板５２を重ねて固定した構造をなしている。図３（Ａ）に示すように、装飾板５１は、例えば、表示画面３０Ｇに登場するキャラクターの顔の一部を模した形状をなしている。一方、支持板５２には、図７に示すように、サイド長孔５１Ｍ，５４Ｍと中央長孔５５Ｍとが貫通形成されると共に、図８に示すように、支持板５２の後面には、ホイール転動溝５２Ｇが備えられている。
【００４７】
サイド長孔５１Ｍ，５４Ｍは、共に水平方向に延びた長孔であって、同一直線上に並べて配置されている。また、サイド長孔５１Ｍ，５４Ｍの開口縁からは、支持板５２の前面と後面側とに補強突条５１Ｆ，５４Ｆが突出し、その補強突条５１Ｆ，５４Ｆによりサイド長孔５１Ｍ，５４Ｍの内面の奥行き幅が支持板５２の板厚より大きくなっている。そして、第１と第２の連結シャフト６１Ｒ，６４Ｒのうち大径支持部６１Ｄ，６４Ｄより先端側の小径部６１Ｓ，６４Ｓがサイド長孔５１Ｍ，５４Ｍ内に受容されている。また、各小径部６１Ｓ，６４Ｓの外面とサイド長孔５１Ｍ，５４Ｍ内面との間には、それぞれ１対ずつの摺接リング８３，８３が嵌合されている。具体的には、各摺接リング８３は、サイド長孔５１Ｍ，５４Ｍの上下幅を略同一の外径をなしかつサイド長孔５１Ｍ，５４Ｍの内面の奥行き幅と略１／２の軸長をなした円柱体８３Ｔの一端に係止フランジ８３Ｆを備えた構造をなしている。そして、１対ずつの摺接リング８３，８３の円柱体８３Ｔ，８３Ｔが、支持板５２の前面側と後面側とからサイド長孔５１Ｍ，５４Ｍ内に突入して、それらの係止フランジ８３Ｆ，８３Ｆが、支持板５２の前面と後面の補強突条５１Ｆ，５４Ｆとカバー部材７１の摺接突条７１Ｔ，７４Ｔに摺接可能に対向した状態で、各小径部６１Ｓ，６４Ｓが１対の摺接リング８３，８３の内側に嵌合している。また、小径部６１Ｓ，６４Ｓの前端部には、図示しないワッシャがビスによって固定され、これにより、１対の摺接リング８３，８３が各小径部６１Ｓ，６４Ｓに抜け止めされている。
【００４８】
中央長孔５５Ｍは、上下方向に延びた長孔であって、サイド長孔５１Ｍ，５４Ｍの間の中心位置より一方のサイド長孔５１Ｍ寄り位置でかつサイド長孔５１Ｍ，５４Ｍより上側に配置されている。また、支持板５２の前面には、中央長孔５５Ｍを囲む周辺部を段付き状に陥没させて陥没縁５５Ｆが形成されると共に、支持板５２の後面では、図６に示すように陥没縁５５Ｆの裏面側が後側に突出して膨出縁５５Ｋになっている。さらには、陥没縁５５Ｆの奥面における中央長孔５５Ｍの開口縁から摺接突条５５Ｌが突出すると共に、膨出縁５５Ｋにおける中央長孔５５Ｍの開口縁から摺接突条５５Ｎが突出している。そして、カバー壁７１の直動ガイド突部７５が、基端側に樹脂ワッシャ８２を挿通した状態で中央長孔５５Ｍ内に受容されると共に、支持板５２の前面側から前記した摺接リング８３の円柱体８３Ｔが中央長孔５５Ｍ内に挿入されて直動ガイド突部７５の外側に嵌合され、摺接リング８３の係止フランジ８３Ｆが陥没縁５５Ｆ内に収められている。また、直動ガイド突部７５の前端部には、図示しないワッシャがビスによって固定され、これにより、摺接リング８３が直動ガイド突部７５に抜け止めされている。そして、本実施形態では、中央長孔５５Ｍと、中央長孔５５Ｍに係合する直動ガイド突部７５とが、本発明に係る「直動ガイド手段」に相当し、この「直動ガイド手段」に相当する中央長孔５５Ｍ等によって、可動部材５０の上下方向と交差する方向への移動が規制された状態でベース部材７０に連結されている。即ち、可動部材５０は、ベース部材７０に上下方向の移動のみを許容された状態で連結されている。
【００４９】
ホイール転動溝５２Ｇは、支持板５２の後面から突出した突条に囲まれて溝構造に形成されている。そして、ホイール転動溝５２Ｇの奥面にガイドホイール８１が当接している。これにより、可動部材５０がスムーズに直動することが可能になっている。
【００５０】
本実施形態のパチンコ遊技機１０の構成に関する説明は以上である。次に、本実施形態のパチンコ遊技機１０の作用効果について説明する。本実施形態のパチンコ遊技機１０で遊技を行い、リーチ状態になると、可動部材５０を上下動する演出が行われる。具体的には、パチンコ遊技機１０がリーチ状態になると、モータ８０が作動して第１及び第２の回転出力ギヤ６１，６４を対称回転させる。すると、図５（Ａ）と図５（Ｂ）との間の変化に示すように、第１及び第２の連結シャフト６１Ｒ，６４Ｒが対称的な円弧軌跡を描いて上下方向に対称移動すると共に、可動部材５０のサイド長孔５１Ｍ，５４Ｍ内を第１及び第２の連結シャフト６１Ｒ，６４Ｒが左右方向に対称移動する（図４（Ａ）及び図４（Ｂ）参照）。そして、可動部材５０は、ベース部材７０に上下方向の移動のみを許容された状態で連結されているので、第１及び第２の連結シャフト６１Ｒ，６４Ｒの移動方向を向いたベクトルのうち上下方向の成分のみを受けて上下動する。このようにして、パチンコ遊技機１０がリーチ状態になると、可動部材５０が適宜、上下に移動する可動演出が行われ、遊技を盛り上げることが可能となる。
【００５１】
また、リーチ状態ではない通常状態では、可動部材５０は可動範囲の上端位置に停止した状態に保持される。具体的には、例えば、リーチ状態が終了し、通常状態になったときには、モータ８０を一方向に回転して第１及び第２の連結シャフト６１Ｒ，６４Ｒを上方に移動し、位置検出センサ７３（図８参照）が検知突片６４Ｔ（図８参照）を検出したことで、第１及び第２の連結シャフト６１Ｒ，６４Ｒが、図５（Ａ）に示すように、部材貫通孔７１Ｍ，７４Ｍの上端位置に配置されていると判断して、モータ８０の通電をオフする。すると、各第１及び第２の連結シャフト６１Ｒ，６４Ｒが摺接リング８３を介してサイド長孔５１Ｍ，５４Ｍに接触する接点と、第１及び第２の回転出力ギヤ６１，６４の回転軸Ｊ１，Ｊ２とを結んだ軸間接続線が、可動部材５０の直動方向（上下方向）と平行となる。これにより、可動部材５０の自重や振動による負荷が第１及び第２の連結シャフト６１Ｒ，６４Ｒが付与されても、それら負荷によって第１及び第２の回転出力ギヤ６１，６４を回転するようなことがなくなり、可動部材５０も停止した状態に保持される。
【００５２】
また、第１及び第２の連結シャフト６１Ｒ，６４Ｒが、図５（Ｂ）に示すように、部材貫通孔７１Ｍ，７４Ｍの下端位置に配置された場合も同様に、可動部材５０の自重や振動による負荷によって、第１及び第２の回転出力ギヤ６１，６４を回転するようなことはなく、可動部材５０が停止状態に保持される。そして、本実施形態では、第１及び第２の連結シャフト６１Ｒ，６４Ｒの「上端位置」と「下端位置」とが、本発明に係る「特異位置」に相当し、この「特異位置」では、可動部材５０を固定するための固定機構を別途設けなくても、可動部材５０が一定位置に停止した状態に保持される。
【００５３】
そこで、本実施形態のパチンコ遊技機１０は、遊技ホールに納入する際に、第１及び第２の連結シャフト６１Ｒ，６４Ｒが、本発明に係る「特異位置」に相当する「上端位置」又は「下端位置」に配置された状態で搬送される。これにより、パチンコ遊技機１０がトラックや台車に積まれた状態で強い振動を受けても、可動部材５０が上下動するようなことが防がれ、パチンコ遊技機１０が有する他の可動役物と干渉して可動部材５０が変形、破損したり、可動部材５０が可動範囲の一端から他端に急峻に移動して他端側に強く打ち付けられて、変形、破損する事態が防がれる。しかも、可動部材５０を固定するための固定機構を別途設けなくても済むので、パチンコ遊技機１０を遊技ホールに納入したのパチンコ遊技機１０の起動準備の手間がかからず、ゴミの発生も抑えられる。
【００５４】
また、本実施形態では、部材貫通孔７１Ｍ，７４Ｍの構成により、図５（Ｂ）に示すように、部材貫通孔７１Ｍ，７４Ｍの長手方向における上方側の端部開口縁同士の距離Ｈ１と、部材貫通孔７１Ｍ，７４Ｍの長手方向における下方側の端部開口縁同士の距離Ｈ３とが等しくかつ、これら距離Ｈ１，Ｈ３が、第１回転出力ギヤ６１の回転軸Ｊ１と第２回転出力ギヤ６４の回転軸Ｊ２との距離Ｈ２より短く設定されている。これにより、第１及び第２の連結シャフト６１Ｒ，６４Ｒ（大径支持部６１Ｄ，６４Ｄ）の大きさを大きくすることができ、第１及び第２の連結シャフト６１Ｒ，６４Ｒの強度を高めることができるので、搬送の際に第１及び第２の連結シャフト６１Ｒ，６４Ｒに大きな負荷がかかった場合でも第１及び第２の連結シャフト６１Ｒ，６４Ｒの破損を防ぐことができる。
【００５５】
なお、第１及び第２の回転出力ギヤ６１，６４が本発明の「回転部材」に相当し、モータ８０が本発明に係る「駆動手段」に相当し、サイド長孔５１Ｍ，５４Ｍが本発明に係る「長孔」に相当する。また、第１及び第２の連結シャフト６１Ｒ，６４Ｒと、それら第１及び第２の連結シャフト６１Ｒ，６４Ｒにそれぞれ１対ずつ挿通された摺接リング８３，８３とが本発明に係る「連結部材」に相当すると共に、特異位置に配置されたこれら「連結部材」が、本発明の「ロック手段」に相当する。そして、これら「連結部材」を特異位置に位置決めする部材貫通孔７１Ｍ，７４Ｍの端部円弧面７１Ｎ，７４Ｎが、本発明の「ロック位置決ストッパ」に相当する。
【００５６】
このように、本実施形態によれば、可動部材５０の直動方向に働く外力（重力や運搬時の振動等）が可動部材５０に対して加わったとき、この外力の方向と連結部材（第１及び第２の連結シャフト６１Ｒ，６４Ｒ及び摺接リング８３）の移動する方向とが異なるために外力が第１及び第２の回転出力ギヤ６１，６４に伝達されない。そのため、「特異位置」に配置された「連結部材」で、この外力による第１及び第２の回転出力ギヤ６１，６４の移動を遮断することが可能となる。よって、意図しないときに第１及び第２の回転出力ギヤ６１，６４が移動して可動部材５０が可動することを規制（ロック）することが可能となる。また、可動部材５０の直動方向に対して垂直に働く外力（運搬時の振動等）が可動部材５０に対して加わったとき、可動部材５０に形成された中央長孔５５Ｍとベース部材７０に形成された直動ガイド突部７５とからなる「直動ガイド手段」で、この外力による第１及び第２の回転出力ギヤ６１，６４の移動も遮断することが可能となる。よって、意図しないときに第１及び第２の回転出力ギヤ６１，６４が移動して可動部材５０が可動することを規制（ロック）することが可能となる。これら構成によって、本実施形態では、可動部材５０にかかる可動部材５０の直動方向に働く外力及びその直動方向に対して垂直に働く外力を遮断して、可動部材５０が可動することを規制（ロック）することが可能となる。
【００５７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することが可能となる。
【００５８】
（１）前記実施形態では、パチンコ遊技機１０に本発明を適用していたが、遊技機であれば、コイン遊技機やスロットマシン、アレンボール等に備えてもよい。
【００５９】
（２）前記実施形態では、１対の回転部材（第１及び第２の回転出力ギヤ６１，６４）によって可動部材５０が直動可能に支持されていたが、回転部材が１つだけの構成であってもよい。
【００６０】
（３）前記実施形態では、対称回転する第１及び第２の回転出力ギヤ６１，６４を備えていたが、同じ方向に回転する第１及び第２の回転出力ギヤからなる構成であってもよい。
【００６１】
（４）前記実施形態では、第１回転出力ギヤ６１と第２回転出力ギヤ６４とが左右対称に配設されていたが、可動部材５０の形状や大きさに応じて、第１回転出力ギヤと第２回転出力ギヤとを上下方向にズラして配置して、これら第１及び第２の回転出力ギヤに備えた第１と第２の連結シャフトの可動範囲に対応する第１及び第２の部材貫通孔、中央長孔及びサイド長孔を設けた構成であってもよい。
【００６２】
（５）前記実施形態では、第１及び第２の回転出力ギヤ６１，６４に間接的にモータ８０が連結されていたが、第１及び第２の回転出力ギヤ６１，６４のそれぞれにモータ８０を直接、連結した構成であってもよい。また、その場合には、本発明に係る「回転部材」として、例えば、カムや円形状をなした平板を用いてもよい。
【００６３】
（６）前記実施形態では、可動部材５０が鉛直方向に直動駆動する構成であったが、例えば、水平方向に直動駆動する構成であってもよい。
【００６４】
（７）前記実施形態では、第１及び第２の連結シャフト６１Ｒ，６４Ｒの「上端位置」及び「下端位置」からなる２つの特異位置が備えられていたが、本願発明は少なくとも１つの特異位置を備えていればよい。
【００６６】
（８）前記実施形態では、第１及び第２の回転出力ギヤ６１，６４を回転駆動させるために、本願発明の「駆動手段」としてモータ８０を備えていたが、例えば、ソレノイドを駆動手段として利用してもよい。
【００６７】
（９）前記実施形態では、第１及び第２の連結シャフト６１Ｒ，６４Ｒと、それら第１及び第２の連結シャフト６１Ｒ，６４Ｒにそれぞれ１対ずつ挿通された摺接リング８３，８３とから本発明に係る「連結部材」が構成されていたが、摺接リング８３を無くして第１連結シャフト６１Ｒのみ及び第２連結シャフト６４Ｒのみで本発明に係る「連結部材」が構成されていてもよい。
【００６８】
（１０）前記実施形態では、中央長孔５５Ｍと、中央長孔５５Ｍに係合する直動ガイド突部７５とから本発明に係る「直動ガイド手段」が構成されていたが、中央長孔５５Ｍ及びホイール転動溝５２Ｇとこれらに係合する直動ガイド突部７５及びガイドホイール８１とから本発明に係る「直動ガイド手段」が構成されていてもよい。
【符号の説明】
【００６９】
１０    パチンコ遊技機
５０    可動部材
５１    装飾体
５１Ｍ，５４Ｍ    サイド長孔（長孔）
５２    支持板
５５Ｍ    中央長孔
６１    第１回転出力ギヤ（回転部材）
６１Ｒ    第１連結シャフト
６４    第２回転出力ギヤ（回転部材）
６４Ｒ    第２連結シャフト
７０    ベース部材
７１    カバー壁
７１Ｍ，７４Ｍ    部材貫通孔
７１Ｎ，７４Ｎ    端部円弧面（ロック位置決ストッパ）
７５    直動ガイド突部
８０    モータ（駆動手段）
８３    摺接リング
１００    可動演出役物
Ｊ１，Ｊ２    回転軸
【図１】
0005451732.tif 000002
【図２】
0005451732.tif 000003
【図３】
0005451732.tif 000004
【図４】
0005451732.tif 000005
【図５】
0005451732.tif 000006
【図６】
0005451732.tif 000007
【図７】
0005451732.tif 000008
【図８】
0005451732.tif 000009
【図９】
0005451732.tif 000010